(57)【特許請求の範囲】
【請求項１】
幅方向に並設される複数個の間仕切りパネルを有し、これらの間仕切りパネルによって室内空間を仕切るための間仕切り装置において、
前記複数個の間仕切りパネルが、互いに隣接する前記間仕切りパネル同士をヒンジで連結することにより連設されているとともに、前記複数個の間仕切りパネルのうちの幅方向端部の間仕切りパネルは建物躯体にヒンジで連結され、この間仕切りパネルとは幅方向反対側に配置されている間仕切りパネルの幅寸法は、他の間仕切りパネルの幅寸法よりも小さく、
前記建物躯体には、前記複数個の間仕切りパネルの配置位置の両側において、互いにヒンジで連結された２個の格納パネルのうちの一方の格納パネルと、１個の格納パネルとがヒンジで連結され、
前記複数個の間仕切りパネルのそれぞれが前記建物躯体に対して平行となる折り畳み状態時に３個の前記格納パネルは展開され、この展開時において、前記一方の格納パネルと前記１個の格納パネルとが前記建物躯体に対して直角に配置されるとともに、前記２個の格納パネルのうちの他方の格納パネルは、前記一方の格納パネルに対して前記複数個の間仕切りパネル側へ直角に配置され、前記建物躯体に対して平行となっている前記他方の格納パネルと、幅寸法が小さい前記間仕切りパネルとが、この間仕切りパネルの幅方向に対面することを特徴とする間仕切り装置。
【請求項２】
請求項１に記載の間仕切り装置において、前記複数個の間仕切りパネルには天井と床のうちの少なくとも一方に接触する密閉部材を備えた密閉具が設けられ、前記密閉部材は密閉具本体に対して進退自在となっていることを特徴とする間仕切り装置。
【請求項３】
請求項１又は２に記載の間仕切り装置において、前記複数個の間仕切りパネルのうちの少なくとも１個は、幅寸法が調整可能になっていることを特徴とする間仕切り装置。
【請求項４】
請求項１〜３のいずれかに記載の間仕切り装置において、前記複数個の間仕切りパネルで一組のパネル組み体が形成され、このパネル組み体が複数組み設けられているとともに、パネル組み体同士が連結、分離自在となっていることを特徴とする間仕切り装置。
【発明の詳細な説明】
【０００１】
【発明の属する技術分野】
本発明は、室内空間を複数個の間仕切りパネルで仕切るための間仕切り装置に係り、住宅、事務所、店舗等の各種の室内空間を仕切るために利用できるものである。
【０００２】
【背景技術】
従来の室内空間を仕切るための仕切り壁は天井及び床に固設されており、したがって間仕切り位置を変更できなかったが、近年、戸建て住宅や集合住宅に適用されるものとして、家族構成の変更等に伴い間仕切り位置を変更できるようにした可動間仕切り装置が開発されている。この可動間仕切り装置は、幅方向に並設される複数個の間仕切りパネルで形成されており、それぞれの間仕切りパネルは天井や床に配設されているガイドレールに案内されて室内空間を仕切る所定位置へ移動可能となっている。
【０００３】
【発明が解決しようとする課題】
しかし、この可動間仕切り装置では、それぞれの間仕切りパネルを天井や床に設けたガイドレールに案内させて移動させるため、天井や床に複数のガイドレールを設けなければならず、このため、装置全体が大掛かりで複雑な構造のものとなってしまう。
本発明の目的は、構造の簡単化を図ることができる間仕切り装置を提供するところにある。
【０００４】
【課題を解決するための手段】
本発明に係る間仕切り装置は、幅方向に並設される複数個の間仕切りパネルを有し、これらの間仕切りパネルによって室内空間を仕切るための間仕切り装置において、前記複数個の間仕切りパネルが、互いに隣接する前記間仕切りパネル同士をヒンジで連結することにより連設されていることを特徴とするものである。
【０００５】
この間仕切り装置によると、幅方向に並設される複数個の間仕切りパネルが、互いに隣接する間仕切りパネル同士をヒンジで連結することにより連設されているため、互いに隣接する間仕切りパネル同士のうちの一方を他方に対してヒンジを中心に回動させることができ、この回動操作を任意の間仕切りパネルについて行うことにより、それぞれの間仕切りパネルを室内空間を仕切る所定位置へ移動させることができる。そして、この間仕切り装置では、それぞれの間仕切りパネルを天井や床に設けたガイドレールに案内させて所定位置へ移動させるのではないため、間仕切り装置全体の構造を簡単化でき、また、所定位置への移動を容易に行えるようになる。
【０００６】
この間仕切り装置において、幅方向に並設される間仕切りパネルの個数は２個でもよく、３個以上でもよい。
【０００７】
また、互いに隣接する間仕切りパネル同士を連結するヒンジの回動可能最大角度は任意であり、例えば、この回動可能最大角度は９０度でもよく、１８０度でもよく、３６０度でもよい。また、ヒンジは、間仕切りパネルの厚さ内から突出する大きさのものでもよく、厚さ内に収まる大きさのものでもよい。
【０００８】
また、それぞれの間仕切りパネルは天井及び床との間で隙間が開くものでもよいが、それぞれの間仕切りパネルに、天井と床のうちの少なくとも一方に接触する密閉部材を備えた密閉具を設けることが好ましい。これによると、密閉部材が接触した天井、床との間で間仕切りパネルは密閉性を確保して室内空間を仕切ることになり、密閉部材が接触した箇所での間仕切りパネルによる間仕切り機能を固定壁と同等又は略同等とすることができる。
【０００９】
さらに、このようにそれぞれの間仕切りパネルに、天井と床のうちの少なくとも一方に接触する密閉部材を備えた密閉具を設ける場合には、密閉部材は、密閉具本体に固定されていて常に天井、床に接触しているものでもよいが、密閉具本体に対して進退自在となっており、これにより、それぞれの間仕切りパネルが所定の間仕切り位置へ移動した後に天井、床に接触するものとなっていることが好ましい。
【００１０】
これによると、間仕切りパネルを間仕切り位置へ移動させた後に密閉部材を天井と床のうちの少なくとも一方に接触させることができ、間仕切りパネルの移動前及び移動中は接触していないため、それぞれの間仕切りパネルを所定の間仕切り位置へ移動させる際に、密閉部材による摩擦力を発生させることなく、間仕切りパネルを所定の間仕切り位置へ容易に移動させることができる。
【００１１】
また、このように，それぞれの間仕切りパネルを所定の間仕切り位置へ移動させた後に、密閉具本体に対して進退自在の密閉部材を天井と床のうちの少なくとも一方に接触させるためには、密閉具に人為的に操作される操作部材を設け、それぞれの間仕切りパネルを所定の間仕切り位置へ移動させた後に、この操作部材を操作することにより密閉部材を進出させて天井、床に接触させるようにしてもよく、あるいは、それぞれの間仕切りパネルが所定の間仕切り位置に達すると、自動的に密閉部材が進出して天井、床に接触するようにしてよい。
【００１２】
密閉具を後者とすると、密閉部材を天井と床のうちの少なくとも一方へ接触させるための人為的操作が不要となり、それだけ間仕切り装置の取り扱い性が良好となる。
【００１３】
なお、密閉具を後者とするための構造は任意であり、例えば、互いに隣接していてヒンジで連結されている２個の間仕切りパネルの一方に設けられた密閉具に、これらの間仕切りパネルが所定の間仕切り位置に移動してこれらの間仕切りパネル同士が所定の位置関係となったときに、他方の間仕切りパネル又はこの間仕切りパネルに設けられた部材又はこれらとは別の部材からの作用力を受ける受圧部材を設け、この受圧部材によって密閉部材が密閉具本体に対して進出して天井と床のうちの少なくとも一方に接触する構造とすることができる。
【００１４】
また、ヒンジで連結されて幅方向に連設されるそれぞれの間仕切りパネルは、幅寸法が調整不能となっていてもよいが、これらの間仕切りパネルのうちの少なくとも１個を、幅寸法が調整可能のものとすることが好ましい。
【００１５】
これによると、幅寸法等が異なる別の室内空間に間仕切り装置を設置する場合には、幅寸法が調整可能となった間仕切りパネルについて幅寸法を変更する作業を行うことにより、この室内空間に設置できるようになり、本発明に係る間仕切り装置は、幅寸法等が相違する各種の室内空間に対して汎用性を有するようになる。
【００１６】
また、ヒンジで連結されて幅方向に連設される全部の間仕切りパネルは、高さ寸法が調整不能となっていてもよいが、これらの間仕切りパネルの全部の高さ寸法を調整可能としてもよい。
【００１７】
全部の間仕切りパネルの高さ寸法を調整可能にすると、天井高さが異なる各種の室内空間に対する汎用性を得られるようになる。
【００１８】
このように間仕切りパネルの幅方向や高さ寸法を調整可能とするためには、例えば、間仕切りパネルを形成する枠材と面材の両方をスライド自在な複数の部材で形成することや、枠材をスライド自在な複数の部材で形成するとともに、面材を選択的に使用される複数の部材で形成することにより、実現できる。
【００１９】
また、ヒンジで連結されて幅方向に連設されるそれぞれの間仕切りパネルと、これらの間仕切りパネルが配置される室内空間の外周部との関係は任意であり、その一例は、前記複数個の間仕切りパネルのうちの幅方向端部の間仕切りパネルを建物躯体にヒンジで連結することである。
【００２０】
これによると、幅方向端部の間仕切りパネルが建物躯体にヒンジを介して連結されることになり、前記複数個の間仕切りパネルを建物躯体に対して一定の位置関係で配置できることになるとともに、幅方向端部の間仕切りパネルはヒンジで建物躯体に連結されているため、この間仕切りパネルは建物躯体に対して回動自在となり、このため、それだけ間仕切り装置によって室内空間を仕切るための形態を多様化できるとともに、間仕切りパネルを所定位置へ折り畳み格納することもできる。
【００２１】
なお、幅方向端部の間仕切りパネルがヒンジで連結される建物躯体は、壁でもよく、柱でもよく、任意な建物躯体でよい。
【００２２】
また、前記複数個の間仕切りパネルのうちの１個の間仕切りパネルを、天井に設けたガイド部材に案内されて移動自在としてもよい。
【００２３】
これによると、それぞれの間仕切りパネルはヒンジで連結されて幅方向に連設されているため、これらの間仕切りパネルのうち、ガイド部材に案内されて移動自在となっている間仕切りパネルを移動させると、全部の間仕切りパネルを移動させることができる。これにより、間仕切りパネルによって室内空間を仕切る位置を変更でき、互いに隣接している間仕切りパネルのうちの一方の間仕切りパネルはヒンジで他方の間仕切りパネルに対して回動自在となっていることと併せ、間仕切りパネルによる室内空間の間仕切り形態の一層の多様化を図ることができる。
【００２４】
また、ヒンジで連結されて幅方向に連設される間仕切りパネルが複数個あっても、天井に設けるガイド部材は１個でよいため、間仕切り装置は全体的に大掛かりとならず、構造を簡単化することができる。
【００２５】
なお、天井に設けるガイド部材で案内される間仕切りパネルは、幅方向に並設される複数個の間仕切りパネルのうちの幅方向端部の間仕切りパネルでもよく、幅方向端部の間仕切りパネルではない間仕切りパネルでもよい。
【００２６】
さらに、本発明に係る間仕切り装置は、ヒンジで連結されて幅方向に連設される複数個の間仕切りパネルにより、例えば、互いに対向設置された固定壁等の建物躯体同士の間を仕切るものでもよく、また、ヒンジで連結されて幅方向に連設される複数個の間仕切りパネルによって一組のパネル組み体を形成し、このパネル組み体を複数組み設けるとともに、パネル組み体同士を連結、分離自在とし、複数組みのパネル組み体を連結することにより室内空間を仕切るものでもよい。
【００２７】
本発明に係る間仕切り装置を後者とすると、パネル組み体同士を連結することによって室内空間が仕切られることになり、室内空間を仕切るためにそれぞれの間仕切りパネルを間仕切り位置に移動させる作業は、それぞれのパネル組み体ごとに行えばよいため、この間仕切り作業を容易に行えるようになり、また、パネル組み体同士を連結させることにより、大空間の室内空間も仕切ることができるようになる。
【００２８】
このように、互いに連結、分離自在となった複数組みのパネル組み体を設ける場合において、連結、分離自在とするための連結具は、ラッチ等の係止部材によるものでもよく、フック部材によるものでもよく、磁石や吸盤等の吸着部材によるものでもよく、その構造及び形式等は任意である。
【００２９】
また、以上説明した本発明に係る間仕切り装置を形成するそれぞれの間仕切りパネル又はこれらの間仕切りパネルのうちの特定の間仕切りパネルには、間仕切りパネルを床の上を走行させて所定の間仕切り位置まで移動させるためのローラ等によるキャスタを設けてもよい。また、このキャスタは常時床に接触しているものでもよく、あるいは、このキャスタを間仕切りパネルから出没自在とし、間仕切りパネルを所定の間仕切り位置まで移動させるときだけ床に接触させるようにしてもよい。
【００３０】
さらに、それぞれの間仕切りパネル又はこれらの間仕切りパネルのうちの特定の間仕切りパネルには、それぞれの間仕切りパネルが所定の間仕切り位置に達したときに、天井と床の少なくとも一方に形成されている穴に挿入され又はその少なくとも一方に圧接して間仕切りパネルをその間仕切り位置に係止しておくための係止部材を有するフランス落し等の係止具を設けてもよい。但し、前述した密閉具がこの係止具を兼ねる機能を有していれば、係止具を省略してもよい。
【００３１】
また、前述した密閉具と同様の密閉具は、間仕切りパネル同士の連結部や、幅方向に並設される複数個の間仕切りパネルのうちの端部の間仕切りパネルと、この端部間仕切りパネルを支持する柱、壁等の支持部材との間、さらには、パネル組み体同士の間に設けてもよい。
【００３２】
また、それぞれの間仕切りパネル又はこれらの間仕切りパネルのうちの特定の間仕切りパネルには、棚や電気コンセント等の室内設備物、室内機器等を固定的又は取り外し自在に設けてもよい。
【００３３】
さらに、幅方向に並設されるそれぞれの間仕切りパネルの幅寸法を同じにしてもよいが、これらの間仕切りパネルのうちの少なくとも１個の幅寸法を異ならせ、これにより、その間仕切り装置が設置される室内空間の幅寸法に対応できるようにしてもよい。
【００３４】
また、幅方向に並設される間仕切りパネルを連結、分離可能とすることにより、その並設個数を増減できるようにしてもよく、このように増減できるようにする場合には、幅寸法が異なる各種の間仕切りパネルを用意しておき、増減する間仕切りパネルを選択することにより、室内空間の幅寸法に適合できるようにしてもよい。
【００３５】
また、本発明に係る間仕切り装置は、任意な室内空間を仕切るために利用でき、この室内空間は、例えば、戸建て住宅や集合住宅の室内空間、事務所の室内空間、店舗の室内空間、集会場の室内空間、ホテル等のホール等である。
【００３６】
【発明の実施の形態】
以下に本発明の実施形態を図面に基づいて説明する。図１は、本実施形態に係る間仕切り装置によって室内空間を仕切る前の平断面図で、図２は、間仕切り装置が室内空間を仕切った後の平断面図である。
【００３７】
図１及び図２に示すように、住宅の躯体となって互いに対向設置されている左右の固定壁１と２の間に室内空間Ｓが形成され、これらの固定壁１，２に接合されている間仕切り用の柱３に、間仕切り装置を形成している左右のパネル組み体ＡとＢがヒンジ４で連結されている。それぞれのパネル組み体Ａ，Ｂは、幅方向に並設される２個の間仕切りパネル５，６をヒンジ７で連結することにより形成され、固定壁１，２側の幅方向端部に配置されている間仕切りパネル５がヒンジ４で建物躯体となっている柱３に連結されている。ヒンジ４及び７は、柱３、間仕切りパネル５，６の高さ方向に複数設けられている。
【００３８】
また、柱３には、互いにヒンジ１２で連結された格納パネル８，９のうちの格納パネル８がヒンジ１１で連結され、柱３から間隔を開けた位置において、格納パネル１０が固定壁１，２にヒンジ１３で連結されている。
【００３９】
図１は、それぞれのパネル組み体Ａ，Ｂが展開される前、言い換えると、間仕切り位置に移動配置される前の折り畳み状態を示し、このときには、ヒンジ４，７によりそれぞれの間仕切りパネル５，６は、固定壁１，２に対して平行であってこれらの固定壁１，２に近接した位置に配置されている。また、このときには、格納パネル８〜１０はヒンジ１１〜１３によって展開され、折り畳まれているパネル組み体Ａ，Ｂの間仕切りパネル５，６を内部に格納している。
【００４０】
パネル組み体Ａ，Ｂによって室内空間Ｓを仕切るときには、図２で示すように、先ず格納パネル８〜１０をヒンジ１１〜１３を中心に回動させることによって固定壁１，２に近接した位置に折り畳み、この後、それぞれのパネル組み体Ａ，Ｂの間仕切りパネル６を固定壁１，２から離間させる方向へ引っ張ることにより、間仕切りパネル５を柱３に対してヒンジ４を中心に回動させるとともに、間仕切りパネル６を間仕切りパネル５に対してヒンジ７を中心に回動させ、これにより、これらの間仕切りパネル５と６を、一直線をなすようにこれらの間仕切りパネル５，６の幅方向へ並べて間仕切り位置へと移動させる。そして、一方のパネル組み体Ａの間仕切りパネル６に設けられている連結具１４のラッチ１４Ａを、他方のパネル組み体Ｂの間仕切りパネル６に設けられているラッチ受け部材１４Ｂに挿入係合させ、これにより、ラッチ１４Ａとラッチ受け部材１４Ｂからなる連結具１４でパネル組み体ＡとＢを連結する。
【００４１】
以上の作業を行うことにより、パネル組み体Ａ，Ｂによって室内空間Ｓは仕切られることになる。
【００４２】
図３は、以上のようにパネル組み体Ａ，Ｂで室内空間Ｓが仕切られたときの図２のＳ３−Ｓ３線断面図である。パネル組み体Ａの間仕切りパネル６には、回動操作すると連結具１４のラッチ１４Ａを進退させることができるノブ１４Ｃが設けられており、このノブ１４Ｃの操作でラッチ１４Ａを後退させてラッチ受け部材１４Ｂとの係合から解除することにより、パネル組み体ＡとＢが分離し、これらのパネル組み体Ａ，Ｂを図１で示した折り畳み格納位置へ移動復帰させることができる。
【００４３】
また、それぞれのパネル組み体Ａ，Ｂの間仕切りパネル６には、操作部材１５Ｂの操作で上下動させることができる係止部材１５Ａを有する係止具１５が設けられている。パネル組み体Ａ，Ｂを間仕切り位置へ移動させた後、上昇位置にあった係止部材１５Ａを操作部材１５Ｂの操作で下降させることにより、係止部材１５Ａは、床１７の所定位置に予め形成されていた穴１７Ａに挿入され、これにより、間仕切りパネル６、延いてはパネル組み体Ａ，Ｂがその間仕切り位置に係止される。
【００４４】
パネル組み体Ａ，Ｂを図１の折り畳み格納位置へ戻すときには、操作部材１５Ｂの操作で係止部材１５Ａを上昇させて穴１７Ａから抜け出させる。
【００４５】
さらに、それぞれのパネル組み体Ａ，Ｂにおける間仕切りパネル５，６の上面と下面には、これらの間仕切りパネル５，６が間仕切り位置に移動配置されたときに、自動的に天井１６、床１７に接触する密閉部材１８Ａを有する密閉具１８が取り付けられている。図４は、これらの密閉具１８の密閉部材１８Ａが天井１６、床１７に接触し、間仕切り装置で仕切られた室内空間の密閉性が確保された状態を示す。
【００４６】
図５は、密閉具１８の一部を破断して示した正面図であり、図６は、図５のＳ６−Ｓ６線断面図である。間仕切りパネル５，６の上面と下面に取り付けられている密閉具１８は、向きが上下逆とされているだけであり、同じ構造のものとなっている。図６で示されているとおり、それぞれの密閉具１８の本体１８Ｂは、ゴム等の弾性材料からなる密閉部材１８Ａが進退できる開口部１９が上下の向きとなった断面略コ字形状であり、その内部に受圧部材２０とスライドカム部材２１とが収納され、スライドカム部材２１に、開口部１９から一部が露出する密閉部材１８Ａが取り付けられている。
【００４７】
図５で示されているように、密閉部材１８Ａ、密閉具本体１８Ｂ、受圧部材２０、スライドカム部材２１のそれぞれは、間仕切りパネル５，６の幅方向へ延びる長さを有する。図６で示すとおり、受圧部材２０には、密閉具本体１８Ｂの内面に形成されているガイド突条１８Ｃが摺動自在に挿入されたガイド溝２０Ａが密閉具本体１８Ｂの長さ方向に形成され、このため、受圧部材２０は密閉具本体１８Ｂの長さ方向に摺動自在となっている。また、スライドカム部材２１には、密閉本体１８Ａの内面に形成されているガイド突起１８Ｄが挿入されたガイド溝２１Ａが上下方向に形成され、このため、スライドカム部材２１と密閉部材１８Ａは、密閉具本体１８Ｂに対して上下方向へスライド自在となっている。
【００４８】
図５で示されているように、受圧部材２０には、受圧部材２０のばね受け部２０Ｂと密閉具本体１８Ｂのばね受け部１８Ｅとの間に水平の向きで収納配置されたコイルばね２２によるばね力により、一方の端部２０Ｃが密閉具本体１８Ｂの一方の端部から突出する方向への弾性復帰力が常時付与されている。また、スライドカム部材２１には、上下方向の向きとされて密閉具本体１８Ｂの内部に配置されたコイルばね２３の一端が結合されているとともに、このコイルばね２３の他端部は密閉具本体１８Ｂに結合されている。このため、スライドカム部材２１には、密閉具本体１８Ｂに対して退避する方向への移動力、すなわち密閉具本体１８Ｂの内部方向への移動力がコイルばね２３で常時付与されている。
【００４９】
受圧部材２０にはテーパー状突起部２０Ｄが受圧部材２０の長さ方向に複数形成され、スライドカム部材２１には、これらのテーパー状突起部２０Ｄと対応するテーパー状カム部２１Ｂがスライドカム部材２１に長さ方向に複数形成されている。
【００５０】
このため、図５のように、密閉具本体１８Ｂの一方の端部から突出している受圧部材２０の一方の端部２０Ｃに、この端部２０Ｃを密閉具本体１８Ｂの内部へ押し込む方向への押圧力Ｗが作用したときには、図７で示されているように、密閉具本体１８Ｂの長さ方向に摺動する受圧部材２０のテーパー状突起部２０Ｄからスライドカム部材２１のテーパー状カム部２１Ｂに方向が変換された押圧力が作用することにより、スライドカム部材２１と密閉部材１８Ａは密閉具本体１８Ｂに対して進出する方向、すなわち密閉具本体１８Ｂから突出する方向へ移動する。
【００５１】
そして、押圧力Ｗが解除されたときには、コイルばね２２と２３の復帰ばね力により、受圧部材２０、スライドカム部材２１、密閉部材１８Ａは、図５で示されている初期状態に復帰する。
【００５２】
また、図５と図７で示されているように、密閉具本体１８Ｂの他方の端部には蓋部材２４が取り付けられている。
【００５３】
以上の構造、作用となっている密閉具１８は、図１で示されているように、それぞれのパネル組み体Ａ，Ｂの間仕切りパネル５については、受圧部材２０の一方の端部２０Ｃが前記柱３との連結側となるように、間仕切りパネル６については、受圧部材２０の一方の端部２０Ｃが間仕切りパネル５との連結側となるように、これらの間仕切りパネル５，６の上面と下面に取り付けられる。
【００５４】
このため、図２で示すように、これらの間仕切りパネル５，６を所定の間仕切り位置へ移動配置すると、間仕切りパネル５に取り付けられた密閉具１８の受圧部材２０の一方の端部２０Ｃは柱３で押圧され、また、間仕切りパネル６に取り付けられた密閉具１８の受圧部材２０の一方の端部２０Ｃは、間仕切りパネル５に取り付けられた密閉具１８の蓋部材２４で押圧され、これにより、それぞれの密閉具１８の密閉部材１８Ａは、間仕切りパネル５，６が所定の間仕切り位置に配置される同時に、密閉具本体１８Ｂから自動的に進出して天井１６、床１７に接触し、間仕切り装置で仕切られた室内空間Ｓの密閉性を確保する。
【００５５】
以上説明した本実施形態によると、室内空間Ｓを仕切るために幅方向に並設される間仕切りパネル５，６はヒンジ７で連結されているため、間仕切りパネル５，６で室内空間Ｓを仕切る作業は、間仕切りパネル６を固定壁１，２から離す方向へ引っ張ることにより容易に行えるとともに、天井１６や床１７には間仕切りパネル５，６を案内するためのガイドレールをこれらの間仕切りパネル５，６ごとに設ける必要がない。このため、間仕切り装置全体が大掛かりとならず、構造を簡単化できる。
【００５６】
また、間仕切りパネル５はヒンジ４で建物躯体である柱３に連結されているため、間仕切りパネル５と６を柱３に対して一定の位置関係にして配置でき、このため、間仕切りパネル５，６による室内空間Ｓの間仕切り位置を適切に設定できるとともに、間仕切りパネル５と６を連結するヒンジ７と、間仕切りパネル５を柱３に連結するヒンジ４のそれぞれの回動により、間仕切りパネル５，６を固定壁１，２に近接した格納位置へ折り畳んで配置することができる。
【００５７】
さらに、本実施形態では、間仕切りパネル５と６で一組のパネル組み体が形成され、このパネル組み体は二組Ａ，Ｂあり、これらのパネル組み体Ａ，Ｂは連結具１４で連結、分離自在となっているため、間仕切りパネル５，６で室内空間Ｓを仕切る作業は、パネル組み体Ａ，Ｂのそれぞれを個別に移動させることにより行え、合計４個の間仕切りパネルを同時に間仕切り位置へ移動させる作業を行う必要がないため、間仕切り作業を容易に行える。
【００５８】
そして、二組のパネル組み体Ａ，Ｂにおける間仕切りパネルの合計個数は４個であるため、幅寸法の大きな室内空間Ｓであっても仕切ることができる。
【００５９】
また、それぞれの間仕切りパネル５，６の上面と下面には、天井１６、床１７に接触する密閉部材１８Ａを有する密閉具１８が取り付けられているため、これらの間仕切りパネル５，６で仕切られた室内空間Ｓの密閉性を固定壁による密閉性と同等又は略同等とすることができる。
【００６０】
さらに、密閉部材１８Ａは、間仕切りパネル５，６が室内空間Ｓを仕切る所定の位置に配置されたときに、密閉具本体１８Ｂから自動的に進出して天井１６、床１７に接触するものとなっているため、間仕切りパネル５，６を折り畳み格納位置から間仕切り位置へ移動させる際には、密閉部材１８Ａと天井１６、床１７との間で摩擦力を発生させずに間仕切りパネル５，６を軽快に移動させることができるとともに、間仕切り位置へ達したときには、特別に人為的操作を行うことなく密閉部材１８Ａを天井１６、床１７に接触させることができ、このため、その取り扱い性が良好となる。
【００６１】
なお、図３及び図４で示しているように、間仕切りパネル５，６のうちの少なくとも一方に、扉２５で開閉される出入口２６を設け、これにより、パネル組み体Ａ，Ｂの間仕切りパネル５，６で仕切られた空間が間仕切りパネル５，６以外の箇所では出入口のない固定壁で囲まれていても、この空間への出入りをできるようにしてもよい。
【００６２】
また、それぞれのパネル組み体Ａ，Ｂにおける間仕切りパネル５と６の全部又はこれらのうちの一方に床１７上を転動するローラ等によるキャスタを設け、このキャスタにより、間仕切りパネル５，６の移動を、床１７に間仕切りパネルの重量を床１７に支持させて行うようにしてもよい。そして、このキャスタは、間仕切り位置に達した間仕切りパネル５，６の下面に設けられている密閉具１８の密閉部材１８Ａが床１７に接触した後、間仕切りパネルの内部に没入させることができるようにするため、間仕切りパネルに出没自在に設けてもよい。
【００６３】
図８は、幅寸法を調整可能にした間仕切りパネル３０を示す。この間仕切りパネル３０の構造材である枠材は、四隅のコーナー部材３１と、それぞれが上下２個のコーナー部材を結合する２本の縦枠部材３２と、それぞれが左右２個のコーナー部材３１を結合する２本の横枠部材３３とからなる。それぞれの横枠部材３３は、ビス等の連結具３４で連結される２本の調整部材３３Ａ，３３Ｂで形成され、これらの調整部材３３Ａ，３３Ｂを間仕切りパネル３０の幅方向にスライドさせて連結具３４で連結することにより、枠材の幅寸法が大小２段階に調整される。
【００６４】
枠材の両方の表面に取り付けられる面材３５として、幅寸法の大きい面部材３５Ａと、幅寸法の小さい面部材３５Ｂとが用意され、枠材の幅寸法を小さくしたときには、面材３５Ａだけが、枠材の幅寸法を大きくしたときには、幅方向に並べられた面部材３５Ａと面部材３５Ｂとが、それぞれ枠材にビス等で止着され、そして、面部材の表面にビニールクロス等による化粧材が被せられる。
【００６５】
この間仕切りパネル３０は、ヒンジで他の間仕切りパネルと連結されることによって室内空間を仕切るために用いられる。このため、この実施形態によると、幅寸法が異なる室内空間を仕切る場合には、間仕切りパネル３０の幅寸法を変更すればよく、このため、この間仕切りパネル３０を用いて形成される間仕切り装置は、幅寸法が相違する各種の室内空間に対して汎用性を有することになる。
【００６６】
なお、この実施形態において、幅寸法の調整段数は２段階以上することもできる。
【００６７】
また、この実施形態のように、間仕切りパネルの幅寸法を調整自在とする場合には、図５及び図７で示した密閉部材１８Ａ、密閉具本体１８Ｂ、受圧部材２０等を含めた前記密閉部材１８全体の長さをその幅寸法に合わせたものとしなければならないが、これを行えるようにするためには、密閉部材１８Ａ、密閉具本体１８Ｂ、受圧部材２０等を含めた密閉部材１８全体の長さを予め余裕のある長さで形成しておき、間仕切りパネルの幅寸法が決まった後、その長さに密閉部材１８Ａ、密閉具本体１８Ｂ、受圧部材２０等を含めた密閉部材１８全体を切断し、そして前記蓋部材２４を密閉具本体１８Ｂの端部に取り付けるようにしてもよい。
【００６８】
図９は、間仕切りパネル４０と４１をヒンジ４２で連結することによりパネル組み体を形成するとともに、固定壁４３に近い幅方向端部の間仕切りパネル４０を、天井４４に設けたガイド部材４５に案内させて固定壁４３に沿う方向へ移動自在とした実施形態を示す。
【００６９】
間仕切りパネル４０の固定壁４３側の端部にはヒンジ４６で支持バー４７が連結され、この支持バー４７の上部は、天井４４に固定壁４３に沿って長く形成された長溝４４Ａに挿入されている。天井４４には、支持バー４７の上部側の側面が開口した箱形状のガイド部材４５が組み込まれ、このガイド部材４５の内部に、支持バー４７の上部に結合されたスライダ４９が挿入されている。
【００７０】
図１０は、このスライダ４９の構造を示す平面図である。スライダ４９は、平面四角形の枠体５０と、この枠体５０に間仕切りパネル４０，４１の幅方向へ延びて貫通配置された２本の軸５１と、これらの軸５１のそれぞれに２個ずつ回転自在に取り付けられたローラ５２とからなる。これらのローラ５２は、固定壁４３に沿った方向に長く形成されているガイド部材４５の両側の壁４５Ａ，４５Ｂに沿って図９で示すガイド部材４５の下面部４５Ｃ上を転動自在となっているとともに、ガイド部材４５の上面部４５Ｄと僅かな隙間を開けて対向している。
【００７１】
このため、間仕切りパネル４０と４１の重量は、支持バー４７とスライダ４９を介してガイド部材４５で吊り下げ状態によって支持されているとともに、ガイド部材４５とスライダ４９の配置位置は、支持バー４７の位置から間仕切りパネル４０，４１の重心に近い側に寄せられているため、この吊り下げ支持を有効に行え、また、２本の軸５１に設けられたローラ５２は、図１０で示されているとおり、間仕切りパネル４０に対してこの間仕切りパネル４０の厚さ方向両側にも配置されているため、間仕切りパネル４０，４１が間仕切りパネルの厚さ方向に倒れることも有効に防止されている。
【００７２】
この実施形態によると、間仕切りパネル４０は、天井４４に配置されたガイド部材４５に対するスライダ４９のスライド作用により固定壁４３に沿って移動自在となっているため、この間仕切りパネル４０を含んで形成されているパネル組み体の全体を、ガイド部材４５のスライダ４９に対する案内作用で固定壁４３に沿って移動させることができる。このため、パネル組み体による間仕切り位置を自由に変更でき、間仕切り装置による間仕切り形態を多様化させることができる。
【００７３】
なお、この実施形態でも、間仕切りパネル４０と４１の両方又は一方の下面に床の上を転動するローラ等によるキャスタを設け、このキャスタで間仕切りパネル４０，４１の重量を支持するようにしてもよい。
【００７４】
図１１は、間仕切りパネル５０と５１を幅方向に連結するヒンジについての別実施形態を示す。この実施形態のヒンジ５２は、間仕切りパネル５０と５１の互いに対向する端部に取り付けられた端部部材５３，５４と、これらの端部部材５３，５４に上下に挿通された軸５５とで形成されている。それぞれの端部部材５３，５４には、これらの端部部材５３，５４の一方から他方へ突出した凸部５３Ａ，５４Ａと、これらの凸部５３Ａ，５４Ａが嵌合された凹部５３Ｂ、５４Ｂとが上下方向に交互に形成され、軸５５は凸部５３Ａ，５４Ａに共通して貫通挿通されている。
【００７５】
図１２は図１１のＳ１２−Ｓ１２線断面図、図１３は図１１のＳ１３−Ｓ１３線断面図である。これらの図１２、図１３で示されているように、凸部５３Ａ，５４Ａの外周面は軸５５を中心とする円弧状になっており、凹部５３Ｂ、５４Ｂの底面は、軸５５を中心とする円弧状であって、凸部５３Ａ，５４Ａの外周面が摺動自在に接触する摺動面になっている。
【００７６】
このため、間仕切りパネル５０と５１は、これらの間仕切りパネルの厚さ内に収まる寸法となっていて軸５２を中心とするヒンジ５２で回動自在に連結されており、この回動可能最大角度は、凸部５３Ａ，５４Ａにおける終端部５３Ｃ、５４Ｃと、凹部５３Ｂ、５４Ｂの終端部５３Ｄ，５４Ｄとが当接するまでの１８０度であって、間仕切りパネル５０と５１が幅方向に一直線状に並ぶ位置から、間仕切りパネル５０と５１のうちの一方が他方に対して両側へそれぞれ９０度ずつ回動自在となっている。
【００７７】
この実施形態によると、間仕切りパネル５０と５１で室内空間を仕切る形態として、間仕切りパネル５０と５１が幅方向に一直線に並ぶ形態と、間仕切りパネル５０と５１のうちの一方が他方に対して両側のうちの片側へ９０度屈曲した形態と、一方が他方に対してこの片側とは逆の方向へ９０度屈曲した形態との合計三つとすることができる。
【００７８】
図１４と図１５は、図９の実施形態と図１１の実施形態とを組み合わせたときに実現できる間仕切り形態を示す。ヒンジ５２で連結された間仕切りパネル５０，５１で形成されているパネル組み体は、図１４と図１５で示されているとおり、合計四組Ｃ〜Ｆあり、これらのパネル組み体Ｃ〜Ｆは、天井に設けられたガイド部材で案内されるスライダ４９により、固定壁６０，６１に沿って移動自在となっている。
【００７９】
図１４では、固定壁６０側にスライダ４９が配置されているパネル組み体Ｃ，Ｄと、固定壁６１側にスライダ４９が配置されているパネル組み体Ｅ，Ｆとが連結されることにより、室内空間Ｓが仕切られている。
【００８０】
図１５では、パネル組み体Ｃがパネル組み体Ｄ側へ、パネル組み体Ｆがパネル組み体Ｅ側へ、それぞれのスライダ４９のガイド部材に対するスライドで移動せしめられているとともに、パネル組み体Ｃの間仕切りパネル５１がパネル組み体Ｄ側へ、パネル組み体Ｄの間仕切りパネル５１がパネル組み体Ｃ側へ、パネル組み体Ｅの間仕切りパネル５１がパネル組み体Ｆ側へ、パネル組み体Ｆの間仕切りパネル５１がパネル組み体Ｅ側へ、それぞれのヒンジを中心に屈曲せしめられ、、パネル組み体Ｃとパネル組み体Ｄとが、パネル組み体Ｅとパネル組み体Ｆとがそれぞれ連結されている。
【００８１】
パネル組み体Ｃとパネル組み体Ｄとの連結で形成される間仕切り箇所、及びパネル組み体Ｅとパネル組み体Ｆとの連結で形成される間仕切り箇所は、それぞれのスライダ４９により、固定壁６０，６１に沿った任意な位置へ移動させることができる。
【００８２】
このように、図９の実施形態と図１１の実施形態とを組み合わせることにより、多様化された間仕切り形態を実現できることになる。
【００８３】
なお、図１４及び図１５で示すように２個のパネル組み体同士を連結、分離自在とすることは、パネル組み体Ｃ，Ｆの間仕切りパネル５１に図２で示した連結具１４のラッチ１４Ａを、パネル組み体Ｄ，Ｅの間仕切りパネル５１にラッチ受け部材１４Ｂをそれぞれ設けることにより行える。
【００８４】
【発明の効果】
本発明によると、間仕切り装置の構造の簡単化を図ることができるという効果を得られる。
【図面の簡単な説明】
【図１】本発明の一実施形態に係る間仕切り装置によって室内空間を仕切る前を示す平断面図である。
【図２】図１の間仕切り装置が室内空間を仕切った後を示す平断面図である。
【図３】図２のＳ３−Ｓ３線断面図である。
【図４】それぞれのパネル組み体の間仕切りパネルに設けられた密閉具の密閉部材が天井、床に接触したときを示す図３と同様の図である。
【図５】密閉具の一部を破断して示す正面図である。
【図６】図５のＳ６−Ｓ６線断面図である。
【図７】密閉具の密閉部材が密閉具本体から進出したときを示す図５と同様の図である。
【図８】幅寸法を調整可能にした間仕切りパネルの枠材を示す正面図である。
【図９】パネル組み体を形成する１個の間仕切りパネルを天井に設けたガイド部材に案内させて移動自在とした実施形態の要部を示す図３と同様の図である。
【図１０】図９で示されているスライダの構造を示す平面図である。
【図１１】間仕切りパネル同士を幅方向に連結するヒンジについての別実施形態を示す間仕切りパネルの正面図である。
【図１２】図１１のＳ１２−Ｓ１２線断面図である。
【図１３】図１１のＳ１３−Ｓ１３線断面図である。
【図１４】図９の実施形態と図１１の実施形態とを組み合わせたときに実現できる間仕切り形態の第１番目を示す平面図である。
【図１５】図９の実施形態と図１１の実施形態とを組み合わせたときに実現できる間仕切り形態の第２番目を示す平面図である。
【符号の説明】
１，２，４３，６０，６１  建物躯体である固定壁
３  建物躯体である間仕切り用の柱
４，７，４２，５２  ヒンジ
５，６，３０，４０，４１，５０，５１  間仕切りパネル
１４  連結具
１６，４４  天井
１７  床
１８  密閉具
１８Ａ  密閉部材
１８Ｂ  密閉具本体
４５  ガイド部材
４９  スライダ
Ｓ  室内空間
Ａ〜Ｆ  パネル組み体
【図１】
0003942899.tif 000002
【図２】
0003942899.tif 000003
【図３】
0003942899.tif 000004
【図４】
0003942899.tif 000005
【図５】
0003942899.tif 000006
【図６】
0003942899.tif 000007
【図７】
0003942899.tif 000008
【図８】
0003942899.tif 000009
【図９】
0003942899.tif 000010
【図１０】
0003942899.tif 000011
【図１１】
0003942899.tif 000012
【図１２】
0003942899.tif 000013
【図１３】
0003942899.tif 000014
【図１４】
0003942899.tif 000015
【図１５】
0003942899.tif 000016